(57)【要約】【課題】簡易な構成で、Ｘコンデンサに充電された電荷を放電させること。【解決手段】ゼロクロス検知回路２０２は、ライブ側及びニュートラル側ラインとブリッジダイオードＢＤ１の出力端に接続されＹコンデンサＣ３の充電電荷を放電するＹコンデンサ放電部２０６と、一端をＹコンデンサ放電部２０６に接続され、入力される交流電圧のゼロクロスを検知するためのゼロクロス検知抵抗Ｒ１と、ゼロクロス検知抵抗Ｒ１の他端とブリッジダイオードＢＤ１の出力端に接続され、ゼロクロス検知抵抗Ｒ１に生じる電圧により交流電圧のゼロクロスを検知するゼロクロス検知部２０５と、を有し、ＸコンデンサＣ１に充電された電荷は、第一の状態ではＹコンデンサ放電部２０６、ゼロクロス検知抵抗Ｒ１、ゼロクロス検知部２０５、ブリッジダイオードＢＤ１を介して放電され、第二の状態ではＹコンデンサ放電部２０６、ブリッジダイオードＢＤ１を介して放電される。【選択図】図２
2017188978.tif 000002
【特許請求の範囲】
【請求項１】
交流電源から交流電圧が入力される第一のラインと第二のラインの間に接続された第一のコンデンサと、
前記第一のラインと前記第二のラインを介して入力される前記交流電圧を全波整流する整流手段と、
前記整流手段の出力端とグラウンドとの間に設けられた第二のコンデンサと、
前記交流電圧のゼロクロスを検知するゼロクロス検知手段と、
前記ゼロクロスの検知を行わない第一の状態と、前記ゼロクロスの検知を行う第二の状態と、を切り替えて、前記ゼロクロス検知手段を制御する制御手段と、
を備える電源装置であって、
前記ゼロクロス検知手段は、前記第一のライン及び前記第二のラインと前記整流手段の前記出力端に接続され、前記第二のコンデンサに充電された電荷を放電する放電部と、一端を前記放電部に接続され、前記放電部を介して入力される前記交流電圧のゼロクロスを検知するための検知抵抗と、前記検知抵抗の他端と前記整流手段の前記出力端に接続され、前記検知抵抗に生じる電圧に基づいて、前記交流電圧のゼロクロスを検知する検知部と、を有し、
前記第一のコンデンサに充電された電荷は、前記第一の状態のときには前記放電部、前記検知抵抗、前記検知部、前記整流手段を介して放電され、前記第二の状態のときには、前記放電部、前記整流手段を介して放電されることを特徴とする電源装置。
【請求項２】
前記整流手段から出力された電圧を第一の直流電圧に変換する第一の変換手段と、
前記放電部及び前記検知部への前記第一の直流電圧の供給と遮断を行うスイッチ手段と、
を備え、
前記制御手段は、前記第一の状態のときには前記スイッチ手段をオフして前記第一の直流電圧の供給を遮断し、前記第二の状態のときには前記スイッチ手段をオンして前記第一の直流電圧を供給することを特徴とする請求項１に記載の電源装置。
【請求項３】
前記放電部は、一端が前記第一のラインに接続され、前記第二のコンデンサを放電する第一の放電部と、一端が前記第二のラインに接続され、前記第二のコンデンサを放電する第二の放電部と、一端が前記第一の放電部及び前記第二の放電部の他端と接続され、他端が前記整流手段の前記出力端に接続されたスイッチング素子と、
を有し、
前記スイッチング素子は、前記第二の状態のときにはオン状態となって前記第一の放電部及び前記第二の放電部からの電流を流し、前記第一の状態のときにはオフ状態となって前記第一の放電部及び前記第二の放電部の電流を遮断することを特徴とする請求項２に記載の電源装置。
【請求項４】
前記第一のコンデンサに充電された電荷は、前記第二の状態で、かつ前記第一のラインの電位が前記第二のラインの電位よりも高い場合には、前記第一の放電部、前記スイッチング素子を介して放電され、前記第二の状態で、かつ前記第二のラインの電位が前記第一のラインの電位よりも高い場合には、前記第二の放電部、前記スイッチング素子を介して放電されることを特徴とする請求項３に記載の電源装置。
【請求項５】
前記第一の放電部及び前記第二の放電部は、それぞれ直列に接続されたダイオードと抵抗とを有し、
前記第一の放電部のダイオードのアノード端子は、前記第一のラインに接続され、
前記第二の放電部のダイオードのアノード端子は、前記第二のラインに接続され、
前記第一の放電部及び前記第二の放電部の抵抗の一端は前記スイッチング素子に接続されていることを特徴とする請求項３又は請求項４に記載の電源装置。
【請求項６】
前記検知抵抗の一端は、前記第一の放電部の前記ダイオードのカソード端子と前記抵抗との接続点に接続されていることを特徴とする請求項５に記載の電源装置。
【請求項７】
前記第一のコンデンサに充電された電荷は、前記第一の状態で、かつ前記第一のラインの電位が前記第二のラインの電位よりも高い場合には、前記第一の放電部の前記ダイオード、前記検知抵抗を介して放電され、前記第一の状態で、かつ前記第二のラインの電位が前記第一のラインの電位よりも高い場合には、前記第二の放電部の前記ダイオード及び前記抵抗、前記第一の放電部の前記抵抗、前記検知抵抗を介して放電されることを特徴とする請求項６に記載の電源装置。
【請求項８】
前記検知抵抗の一端は、前記第二の放電部の前記ダイオードのカソード端子と前記抵抗との接続点に接続されていることを特徴とする請求項５に記載の電源装置。
【請求項９】
前記第一のコンデンサに充電された電荷は、前記第一の状態で、かつ前記第二のラインの電位が前記第一のラインの電位よりも高い場合には、前記第二の放電部の前記ダイオード、前記検知抵抗を介して放電され、前記第一の状態で、かつ前記第一のラインの電位が前記第二のラインの電位よりも高い場合には、前記第一の放電部の前記ダイオード及び前記抵抗、前記第二の放電部の前記抵抗、前記検知抵抗を介して放電されることを特徴とする請求項８に記載の電源装置。
【請求項１０】
前記検知部は、前記検知抵抗に発生する電圧に基づいてゼロクロスを検知し、検知された前記ゼロクロスのタイミングに応じたゼロクロス信号を出力することを特徴とする請求項６から請求項９のいずれか１項に記載の電源装置。
【請求項１１】
前記放電部のスイッチング素子と前記整流手段の前記出力端との間に設けられ、前記交流電源から入力される前記交流電圧を検知する第一の電圧検知手段を備え、
前記第一の電圧検知手段は、前記第一の放電部の前記抵抗及び前記第二の放電部の前記抵抗に流れる電流を用いて、前記交流電圧を検知することを特徴とする請求項１０に記載の電源装置。
【請求項１２】
前記第一の変換手段から出力された前記第一の直流電圧を第二の直流電圧に変換する第二の変換手段を備え、
前記第二の変換手段は、前記第二の状態で、かつ、前記第一の電圧検知手段により検知された前記交流電圧が閾値電圧より高い場合には前記第二の直流電圧を出力し、前記第一の状態の場合、又は前記第一の電圧検知手段により検知された前記交流電圧が前記閾値電圧以下の場合には前記第二の直流電圧の出力を停止することを特徴とする請求項１１に記載の電源装置。
【請求項１３】
前記第二の直流電圧を検知するための第二の電圧検知手段を備え、
前記第二の電圧検知手段は、前記第二の直流電圧を分圧するための分圧抵抗を有し、
前記制御手段は、前記分圧抵抗により分圧された電圧が所定の電圧以下の場合には、前記第一の状態に切り替えることを特徴とする請求項１２に記載の電源装置。
【請求項１４】
記録材に画像形成を行う画像形成手段と、
請求項１から請求項１３のいずれか１項に記載の電源装置と、
を備えることを特徴とする画像形成装置。
【請求項１５】
記録材に画像形成を行う画像形成手段と、
請求項１から請求項１３のいずれか１項に記載の電源装置と、
前記画像形成手段を制御するコントローラと、
を備え、
前記制御手段は、前記コントローラであることを特徴とする画像形成装置。
【請求項１６】
記録材に画像形成を行う画像形成手段と、
前記画像形成手段を制御するコントローラと、
を備えた画像形成装置であって
請求項１３に記載の電源装置を備え、
前記制御手段は、前記コントローラに、前記交流電源の前記交流電圧が前記閾値電圧以下に低下したことを報知することを特徴とする画像形成装置。
【請求項１７】
請求項１０に記載の電源装置と、
記録材にトナー像を形成する画像形成手段と、
前記トナー像を加熱、加圧して、記録材に定着させる定着装置と、
前記定着装置への電力供給、遮断を行うスイッチと、
前記画像形成手段、前記定着装置、前記スイッチを制御するコントローラと、
を備え、
前記コントローラは、前記交流電圧のゼロクロスのタイミングに応じて前記スイッチを制御をすることを特徴とする画像形成装置。
【請求項１８】
前記スイッチは、双方向サイリスタであることを特徴とする請求項１７に記載の画像形成装置。
【請求項１９】
前記第一の状態は、前記画像形成手段が画像形成を行わない状態であり、前記第二の状態は、前記画像形成手段が画像形成を行う状態であることを特徴とする請求項１４から請求項１８のいずれか１項に記載の画像形成装置。
【発明の詳細な説明】
【技術分野】
【０００１】
本発明は、電子写真複写機、電子写真プリンタなどの画像形成装置に搭載される定着装置の制御に好適なゼロクロス検知回路を備える電源装置及び画像形成装置に関する。
【背景技術】
【０００２】
電子写真方式の複写機、プリンタなどの画像形成装置では、記録材上の未定着トナー像を加熱、加圧して記録材に定着させる定着装置を備えている。そして、定着装置への電力供給を制御する電力供給装置では、交流電源から供給される交流電圧を、双方向サイリスタ（以下、トライアックという）等を用いて位相制御を行い、電力供給を制御する方法が広く用いられている。位相制御では、交流電圧が０Ｖになるタイミング（以下、ゼロクロスタイミングという）を基準に電力供給制御を行うため、ゼロクロスタイミングを正確に検知する必要がある。一方、電源装置には、電源ラインのノイズを除去するために、交流電源の２つのライン間にアクロス・ザ・ラインコンデンサ（以下、Ｘコンデンサという）が設けられている場合が多い。ユーザが電源ケーブルを交流電源から引き抜いた際の安全性を考慮してＸコンデンサに充電された電荷を短時間で放電するための放電抵抗等の放電手段を設けている。例えば特許文献１では、ゼロクロスタイミングを検知するゼロクロス検知回路の交流電源の２つのライン間の電圧が印加されたゼロクロス検知抵抗を、Ｘコンデンサを放電する放電抵抗として兼用する構成が開示されている。
【先行技術文献】
【特許文献】
【０００３】
【特許文献１】特開２０１３−１２３３４８号公報
【発明の概要】
【発明が解決しようとする課題】
【０００４】
しかしながら、上述したゼロクロス検知回路を利用したＸコンデンサの放電方法では、Ｘコンデンサに充電された電圧の極性が正又は負のどちらか一方の場合にのみ、ゼロクロス検知抵抗によるＸコンデンサの放電が可能であった。そのため、Ｘコンデンサに充電された電圧の極性が、ゼロクロス検知抵抗による放電ができない電圧の極性の場合には、Ｘコンデンサに充電された電荷を放電させるために別の放電手段が必要となる課題がある。
【０００５】
本発明は、このような状況のもとでなされたもので、簡易な構成で、Ｘコンデンサに充電された電荷を放電させることを目的とする。
【課題を解決するための手段】
【０００６】
前述の課題を解決するために、本発明は、以下の構成を備える。
【０００７】
（１）交流電源から交流電圧が入力される第一のラインと第二のラインの間に接続された第一のコンデンサと、前記第一のラインと前記第二のラインを介して入力される前記交流電圧を全波整流する整流手段と、前記整流手段の出力端とグラウンドとの間に設けられた第二のコンデンサと、前記交流電圧のゼロクロスを検知するゼロクロス検知手段と、前記ゼロクロスの検知を行わない第一の状態と、前記ゼロクロスの検知を行う第二の状態と、を切り替えて、前記ゼロクロス検知手段を制御する制御手段と、を備える電源装置であって、前記ゼロクロス検知手段は、前記第一のライン及び前記第二のラインと前記整流手段の前記出力端に接続され、前記第二のコンデンサに充電された電荷を放電する放電部と、一端を前記放電部に接続され、前記放電部を介して入力される前記交流電圧のゼロクロスを検知するための検知抵抗と、前記検知抵抗の他端と前記整流手段の前記出力端に接続され、前記検知抵抗に生じる電圧に基づいて、前記交流電圧のゼロクロスを検知する検知部と、を有し、前記第一のコンデンサに充電された電荷は、前記第一の状態のときには前記放電部、前記検知抵抗、前記検知部、前記整流手段を介して放電され、前記第二の状態のときには、前記放電部、前記整流手段を介して放電されることを特徴とする電源装置。
【０００８】
（２）記録材に画像形成を行う画像形成手段と、前記（１）に記載の電源装置と、を備えることを特徴とする画像形成装置。
【発明の効果】
【０００９】
本発明によれば、簡易な構成で、Ｘコンデンサに充電された電荷を放電させることができる。
【図面の簡単な説明】
【００１０】
【図１】実施例１、２の画像形成装置の概略構成図
【図２】実施例１の電源装置の回路構成を示す図
【図３】実施例１の電源装置の制御シーケンスを示すフローチャート
【図４】実施例２の電源装置の回路構成を示す図
【図５】実施例２の電源装置の制御シーケンスを示すフローチャート
【発明を実施するための形態】
【００１１】
以下に、図面を参照して本発明の実施の形態について詳細に説明する。
【実施例１】
【００１２】
［画像形成装置の構成］
図１は、電子写真方式の画像形成装置１０の一例である、ブラックのトナーを用いて画像形成が行われるモノクロプリンタの概略構成を示す断面図である。図１において、給紙カセット１１に積載された記録材である記録紙は、ピックアップローラ１２によって１枚ずつ給紙カセット１１から給送され、給紙ローラ１３によってレジストレーションローラ１４へと搬送される。そして、レジストレーションローラ１４に搬送された記録紙は、所定のタイミングで、更に転写ローラ２０へと搬送される。画像形成部であるプロセスカートリッジ１５は、帯電部１６、現像手段としての現像ローラ１７、クリーニング手段であるクリーナ１８、及び感光体である感光ドラム１９により、一体的に構成されている。そして、以下に説明する公知の一連の電子写真プロセス処理によって、未定着トナー像が搬送された記録紙上に形成される。感光ドラム１９は、帯電部１６によって、その表面を一様に帯電された後、露光手段であるスキャナユニット２１により画像信号に基づいた露光が行われる。スキャナユニット２１内のレーザダイオード２２から出射されるレーザ光は、回転多面鏡２３により偏向され、反射ミラー２４を経て、感光ドラム１９を走査することにより、感光ドラム１９上に潜像が形成される。感光ドラム１９上に形成された潜像は、現像ローラ１７によってトナーが付着され、トナー像として可視化される。そして、感光ドラム１９上のトナー像は、転写ローラ２０によって、レジストレーションローラ１４から搬送されてきた記録紙に転写される。トナー像が転写された記録紙は、定着装置１００に搬送され、記録紙上の未定着トナー像は、定着装置１００により加熱、加圧処理が行われ、記録紙に定着される。そして、記録紙は、中間排紙ローラ２６、排紙ローラ２７によって、画像形成装置１０の外に排出され、一連のプリント動作が終了する。
【００１３】
モータ３０（図中、Ｍと表示）は、定着装置１００等の各装置の駆動系に駆動力を付与する。また、定着装置１００への電力供給は、後述する交流電源２０１のゼロクロスタイミングに基づいて、位相制御、波数制御、若しくは位相制御波形を含む複数周期に渡る制御方法により制御されている。電源装置２００は、画像形成装置１０で用いられる電源装置であり、電源ケーブル５０を介して商用電源等の交流電源２０１（図中、ＡＣと表示）と接続されている。なお、電源装置２００が適用可能な画像形成装置は、図１に例示したものに限定されず、例えば複数の画像形成部を備えるカラープリンタのような画像形成装置であってもよい。更に、感光ドラム１９上のトナー像を中間転写ベルトに転写する一次転写部と、中間転写ベルト上のトナー像を記録紙に転写する二次転写部を備える画像形成装置であってもよい。
【００１４】
［電源装置の構成］
図２は、実施例１の電源装置２００の回路構成を説明する図である。交流電源２０１（図中、ＡＣと表示）は、第一のラインであるライブ側ライン（図中、ＬＩＶＥと表示）と、第二のラインであるニュートラル側ライン（図中、ＮＥＵＴＲＡＬと表示）間に交流電圧を出力している。交流電源２０１より入力された交流電圧は、ブリッジダイオードＢＤ１により全波整流され、電解コンデンサＣ２により平滑される。なお、ブリッジダイオードＢＤ１と電解コンデンサＣ２は整流平滑手段を構成する。電解コンデンサＣ２で平滑された直流電圧の電位のうち、電位が高い側をＤＣＨ、電位が低い側をＤＣＬとする。
【００１５】
第一の変換手段であるＤＣ／ＤＣコンバータ１（以下、コンバータ１という）は、絶縁型ＤＣ／ＤＣコンバータである。コンバータ１は、一次側に入力される、コンデンサＣ２に充電された直流電圧（ＤＣＬ〜ＤＣＨ間に印加された直流電圧）を変換して、二次側に直流電圧Ｖ１を出力する。また、コンバータ１は、不図示の補助巻線に第一の直流電圧である電源電圧Ｖｃｃを出力する。第一のコンデンサであるコンデンサＣ１はＸコンデンサであり、２つの電源ライン間、即ちライブ側ラインとニュートラル側ラインとの間に配置され、ノイズ除去を目的としたコンデンサである。抵抗Ｒ２は、ＸコンデンサであるコンデンサＣ１（以下、ＸコンデンサＣ１ともいう）を放電するために用いるＸコンデンサの放電抵抗である。また、一端がブリッジダイオードＢＤ１の出力端であるＤＣＬ（電解コンデンサＣ２で平滑された直流電圧の電位の低い側の電源ライン）に接続され、他端がグラウンド（図中、ＧＮＤと表示）に接続（接地）されたコンデンサＣ３は、Ｙコンデンサである。第二のコンデンサであるコンデンサＣ３（以下、ＹコンデンサＣ３ともいう）は、ノイズ対策用に設けられている。
【００１６】
制御手段である制御部２０３は、電源装置２００の制御を行うＣＰＵである。なお、ここでは、電源装置２００の制御は制御部２０３が行っているが、図１で説明した画像形成装置１０の不図示のＣＰＵであるコントローラが電源装置２００の制御を行う構成でもよい。制御部２０３による制御の詳細については後述する。ゼロクロス検知回路２０２は、後述するＹコンデンサ放電部２０６、２つの電源ライン間の電圧が印加されるゼロクロス検知抵抗Ｒ１、ゼロクロス検知部２０５から構成されている。ゼロクロス検知回路２０２は、交流電源２０１の交流電圧のゼロクロスタイミングを検知し、制御部２０３にゼロクロス信号（以下、Ｚｅｒｏｘ信号という）を出力する。
【００１７】
前述した定着装置１００は、記録紙上の未定着トナー像を加熱するためにヒータ（不図示）を有している。画像形成装置１０では、ヒータに交流電源２０１から電力供給することにより、ヒータの温度制御が行われる。また、交流電源２０１からヒータへの電力供給及び遮断を行うために、半導体スイッチである双方向サイリスタ（トライアック）やリレーが交流電源２０１から定着装置１００への電力供給路に設けられている。画像形成装置１０の不図示のコントローラは、Ｚｅｒｏｘ信号の立ち上がり及び立ち下がりのエッジを検知することにより、交流電源２０１の交流電圧のゼロクロスタイミングを検知する。そして、不図示のコントローラは、検知されたゼロクロスタイミングをトリガにして、例えばトライアックをオンオフすることにより、交流電源２０１から定着装置１００のヒータへの電力供給を制御する。これにより、定着装置１００のヒータの温度制御が行われる。
【００１８】
［Ｘコンデンサの放電方法］
次に、ＸコンデンサＣ１に充電された電荷を放電する方法について説明する。ユーザが交流電源２０１と電源装置２００とを接続する電源ケーブル５０を電源コンセントから引き抜いた際に、ＸコンデンサＣ１に電荷が充電されている場合がある。そのため、ユーザが電源ケーブル５０の端子等に触れて感電することを防止するには、ＸコンデンサＣ１に充電された電荷を放電する手段が必要となる。本実施例では、ＸコンデンサＣ１に充電された電荷を放電するための第一の放電手段としてＸコンデンサＣ１の放電抵抗Ｒ２を用い、第二の放電手段として、後述するゼロクロス検知回路２０２を用いる。これにより、電源装置２００は、第一の放電手段及び第二の放電手段のいずれか一方が故障した場合にも、ＸコンデンサＣ１の電荷を放電可能な回路構成になっている。
【００１９】
［ゼロクロス検知回路の電源電圧］
続いて、電源装置２００のゼロクロス検知回路２０２に供給される電源電圧について、図２を参照して説明する。ゼロクロス検知回路２０２の電源電圧として用いる電圧Ｖｃｃは、コンバータ１の不図示の補助巻線から出力される電源電圧である。電源電圧Ｖｃｃは、フォトカプラＰＣ１の一次側フォトトランジスタを介して、ゼロクロス検知部２０５、及びＹコンデンサ放電部２０６に供給される。スイッチ手段であるフォトカプラＰＣ１の動作は、制御部２０３から出力されるＳｔａｎｄｂｙ信号（スタンバイ信号）により制御される。制御部２０３は、画像形成装置１０がゼロクロスタイミングを検知可能なプリント時やスタンバイ時には、Ｓｔａｎｄｂｙ信号にＨｉｇｈ（ハイレベル）状態を設定し、省エネルギー状態の場合には、Ｓｔａｎｄｂｙ信号にＬｏｗ（ローレベル）状態を設定する。制御部２０３がＳｔａｎｄｂｙ信号をＨｉｇｈ状態に設定すると、フォトカプラＰＣ１の二次側ダイオードに電流が流れ、一次側フォトトランジスタがオン状態となる。その結果、ゼロクロス検知回路２０２のゼロクロス検知部２０５及びＹコンデンサ放電部２０６に電源電圧Ｖｃｃが供給され、交流電源２０１から入力される交流電圧のゼロクロスタイミングを検知可能な状態になる。一方、制御部２０３がＳｔａｎｄｂｙ信号にＬｏｗ状態を設定すると、フォトカプラＰＣ１の二次側ダイオードに電流が流れなくなり、一次側フォトトランジスタはオフ状態となる。その結果、ゼロクロス検知回路２０２に電源電圧Ｖｃｃが供給されない状態になり、交流電圧のゼロクロスタイミングを検知することができない状態になる。
【００２０】
ところで、前述した特許文献１で開示されている電源装置と同様に、本実施例の電源装置２００では、交流電源２０１から入力された交流電圧を全波整流するブリッジダイオードＢＤ１の後段に、ＹコンデンサＣ３を有している。ＹコンデンサＣ３を有している電源装置２００では、交流電源２０１の交流電圧の正確なゼロクロスタイミングを検知するためには、ＹコンデンサＣ３を放電する必要がある。そのため、電源装置２００には、ＹコンデンサＣ３を放電するための放電抵抗Ｒ３、Ｒ４を有するＹコンデンサ放電部２０６が設けられている。
【００２１】
［Ｙコンデンサ放電部］
次に、Ｙコンデンサ放電部２０６について説明する。前述したＹコンデンサＣ３に充電された電荷（充電電圧）がうまく放電されないと、充電された電荷によりゼロクロス検知部２０５により検知されるゼロクロスタイミングがずれてしまう。そのため、ＹコンデンサＣ３に充電された電荷を放電させて、ゼロクロスタイミングを精度よく検知するためにＹコンデンサ放電部２０６が設けられている。Ｙコンデンサ放電部２０６では、電源装置２００のライブ（ＬＩＶＥ）側ラインは、第一の放電部を構成するダイオードＤ１のアノード端子に接続され、カソード端子は第一の放電部を構成するＹコンデンサＣ３の放電抵抗Ｒ３の一端に接続されている。放電抵抗Ｒ３の他端は高耐圧のスイッチング素子であるトランジスタＱ１のコレクタ端子に接続され、トランジスタＱ１のエミッタ端子はＹコンデンサＣ３に接続されている。また、トランジスタＱ１のベース端子はプルアップ抵抗Ｒ９（以下、抵抗Ｒ９という）を介して電源電圧Ｖｃｃに接続されている。
【００２２】
一方、電源装置２００のニュートラル（ＮＥＵＴＲＡＬ）側ラインは、第二の放電部を構成するダイオードＤ２のアノード端子に接続され、ダイオードＤ２のカソード端子は、第二の放電部を構成するＹコンデンサＣ３の放電抵抗Ｒ４の一端に接続されている。放電抵抗Ｒ４の他端は、トランジスタＱ１のコレクタ端子に接続されている。上述したゼロクロスタイミングを検知可能な状態では、電源電圧Ｖｃｃから抵抗Ｒ９を介してトランジスタＱ１のベース端子に電流が流れ、トランジスタＱ１は導通状態となる。その結果、ＹコンデンサＣ３の放電抵抗Ｒ３、Ｒ４に電流が流れる状態となり、ゼロクロス検知回路２０２は交流電源２０１のゼロクロスタイミングを精度よく検知することができる。なお、抵抗Ｒ９はトランジスタＱ１を駆動するためのプルアップ抵抗、抵抗Ｒ８はトランジスタＱ１を保護するための抵抗である。
【００２３】
ところで、ゼロクロス検知回路２０２が交流電源２０１のゼロクロスタイミングを精度よく検知するためには、放電抵抗Ｒ３、Ｒ４の抵抗値をＹコンデンサＣ３の容量に対して十分小さくする必要がある。しかし、放電抵抗Ｒ３、Ｒ４の抵抗値を小さくすると、放電抵抗Ｒ３、Ｒ４には交流電源２０１からの交流電圧が印加されるため、抵抗値が小さいと、逆に消費電力が大きくなってしまう。そのため、電源装置２００の電源ＯＦＦ（オフ）時やスリープ時など、消費電力を抑える必要がある省エネルギー状態では、高耐圧のトランジスタＱ１をオフ状態にすることにより、放電抵抗Ｒ３、Ｒ４に流れる電流を遮断する必要がある。なお、本実施例では、トランジスタＱ１に、高耐圧のバイポーラトランジスタを用いているが、例えばＦＥＴ（電界効果トランジスタ）やリレーなど他のスイッチ手段を用いてもよい。
【００２４】
［第一の状態における回路動作］
次に、電源ＯＦＦ時やスリープ時などの画像形成を行わない軽負荷状態で、消費電力を抑えた省エネルギー状態である第一の状態での電源装置２００の回路動作について説明する。省エネルギー状態ではＳｔａｎｄｂｙ信号がＬｏｗ状態であるため、上述したように、電源電圧Ｖｃｃがゼロクロス検知回路２０２に供給されない状態となる。そのため、ゼロクロス検知部２０５では、プルアップ抵抗Ｒ６（以下、抵抗Ｒ６という）、フォトカプラＰＣ２の一次側ダイオード、トランジスタＱ２のコレクタ端子には電流が流れない状態となり、消費電力を抑えることができる。また、Ｙコンデンサ放電部２０６では、トランジスタＱ１は遮断状態となるため、ライブ側ラインから放電抵抗Ｒ３を介して流れる電流、及びニュートラル側ラインから放電抵抗Ｒ４を介して流れる電流は遮断され、消費電力を抑えることができる。また、第一の状態では、フォトカプラＰＣ２の二次側フォトトランジスタは常に遮断状態（オフ状態）となるため、制御部２０３に入力されるＺｅｒｏｘ信号は常にＨｉｇｈ（ハイレベル）状態となる。その結果、第一の状態は、ゼロクロスタイミングが検知できない状態となる。
【００２５】
［第二の状態における回路動作］
続いて、画像形成装置１０のスタンバイ時やプリント時などの画像形成が実行される、又は実行可能な重負荷状態で、ゼロクロスタイミングを検知可能な状態である第二の状態での電源装置２００の回路動作について説明する。ゼロクロスタイミングを検知可能な状態では、Ｓｔａｎｄｂｙ信号がＨｉｇｈ（ハイレベル）状態に設定されるため、上述したように、ゼロクロス検知部２０５及びＹコンデンサ放電部２０６に電源電圧Ｖｃｃが供給される。これにより、ゼロクロス検知回路２０２では、交流電源２０１のゼロクロスタイミングを検知可能な状態となる。
【００２６】
交流電源２０１から供給されるライブ側ラインの電位がニュートラル側ラインの電位より高い場合には、ダイオードＤ１、ゼロクロス検知抵抗Ｒ１を介して、ゼロクロス検知部２０５のトランジスタＱ２のベース端子にベース電流が流れる。その結果、トランジスタＱ２がオンし、導通状態となると、フォトカプラＰＣ２の一次側ダイオードは、アノード端子に印加される電圧が低下するために非導通状態となり、フォトカプラＰＣ２の二次側フォトトランジスタはオフし、遮断状態となる。そして、フォトカプラＰＣ２の二次側フォトトランジスタが遮断状態になると、コンバータ１の出力Ｖ１によって、プルアップ抵抗Ｒ７を介してＺｅｒｏｘ信号の電圧が上昇し、制御部２０３には、Ｈｉｇｈ（ハイレベル）状態のＺｅｒｏｘ信号が入力される。なお、トランジスタＱ２のベース端子に接続された抵抗Ｒ５及びコンデンサＣ５は、トランジスタＱ２の動作タイミングの調整のために設けられている。
【００２７】
一方、ライブ側ラインの電位がニュートラル側ラインの電位より低い場合には、ダイオードＤ２、放電抵抗Ｒ４を介して流れる電流は、トランジスタＱ１へと流れる。このとき、ＤＣＬの電位とライブ側ラインの電位は同じ電位であるため、放電抵抗Ｒ３には電圧が印加されない状態となるため、トランジスタＱ２のベース端子には電流が流れず、トランジスタＱ２は遮断状態（オフ状態）となる。トランジスタＱ２が遮断状態になると、フォトカプラＰＣ２の一次側ダイオードは、電源電圧Ｖｃｃから抵抗Ｒ６を介して電流が流れることにより導通状態となり、フォトカプラＰＣ２の二次側フォトトランジスタも導通状態となる。そして、フォトカプラＰＣ２の二次側フォトトランジスタが導通状態になると、コンバータ１の出力電圧Ｖ１からプルアップ抵抗Ｒ７を介して、フォトカプラＰＣ２の二次側フォトトランジスタに電流が流れる。その結果、Ｚｅｒｏｘ信号の電圧が低下し、制御部２０３にはＬｏｗ（ローレベル）状態のＺｅｒｏｘ信号が入力される。このように、ライブ側ラインとニュートラル側ラインの電位が切り替わる毎に、Ｚｅｒｏｘ信号のＨｉｇｈ（ハイレベル）状態とＬｏｗ（ローレベル）状態が切り替わる。制御部２０３は、Ｚｅｒｏｘ信号のローレベルからハイレベルへの立ち上がり、及びハイレベルからローレベルへの立ち下がりを検知することで、交流電源２０１のゼロクロスタイミングを検知することができる。ゼロクロスタイミングを検知可能な状態である第二の状態では、前述した第一の状態と比べて、抵抗Ｒ６、フォトカプラＰＣ２の一次側ダイオード、トランジスタＱ２のコレクタ端子、放電抵抗Ｒ３、放電抵抗Ｒ４を流れる電流によって、消費電力が増大する。
【００２８】
［第一の状態、第二の状態におけるＸコンデンサの放電］
ゼロクロス検知回路２０２を用いた、電源装置２００の第一の状態、及び第二の状態におけるＸコンデンサＣ１の放電方法について説明する。まず、電源装置２００が省エネルギー状態である第一の状態における放電方法について説明する。第一の状態において、ＸコンデンサＣ１の充電状態が正極性（ライブ側ラインの電位がニュートラル側ラインより高い）の場合には、ＸコンデンサＣ１の電荷は、ダイオードＤ１、ゼロクロス検知抵抗Ｒ１、ブリッジダイオードＢＤ１を介して放電される。一方、ＸコンデンサＣ１の充電状態が負極性（ライブ側ラインの電位がニュートラル側ラインより低い）の場合には、ＸコンデンサＣ１の電荷は次のような電流経路で放電される。即ち、ＸコンデンサＣ１の電荷は、ダイオードＤ２、放電抵抗Ｒ４、放電抵抗Ｒ３、ゼロクロス検知抵抗Ｒ１、ブリッジダイオードＢＤ１を介して放電される。なお、第一の状態の場合には、ゼロクロス検知抵抗Ｒ１を流れる電流は、トランジスタＱ２のベース−エミッタ間ダイオードを介して、ブリッジダイオードＢＤ１へと流れる。
【００２９】
次に、電源装置２００がゼロクロスタイミングを検知可能な状態である第二の状態における放電方法について説明する。第二の状態において、ＸコンデンサＣ１の充電状態が正極性（ライブ側ラインの電位がニュートラル側ラインより高い）の場合には、ＸコンデンサＣ１の電荷は、ダイオードＤ１、放電抵抗Ｒ３、トランジスタＱ１、ブリッジダイオードＢＤ１を介して放電される。一方、ＸコンデンサＣ１の充電状態が負極性（ライブ側ラインの電位がニュートラル側ラインより低い）の場合には、ＸコンデンサＣ１の電荷は、ダイオードＤ２、放電抵抗Ｒ４、トランジスタＱ１、ブリッジダイオードＢＤ１を介して放電される。このように、電源装置２００の第一の状態及び第二の状態で、ＸコンデンサＣ１に充電された極性が正極性及び負極性の場合においても、ゼロクロス検知回路２０２を用いて、ＸコンデンサＣ１に充電された電荷を放電することができる。なお、本実施例では、ＸコンデンサＣ１の放電に必要な、ゼロクロス検知抵抗Ｒ１の抵抗値は、ＹコンデンサＣ３の放電抵抗Ｒ３、Ｒ４の抵抗値よりも大きいものとする。
【００３０】
ところで、省エネルギー状態である第一の状態で、ＸコンデンサＣ１に充電された極性が正極性及び負極性の両方の場合に充電された電荷が放電されるためには、ゼロクロス検知抵抗Ｒ１の一端はゼロクロス検知部２０５に接続されていなければならない。そして、ゼロクロス検知抵抗Ｒ１の他端は、Ｙコンデンサ放電部２０６のダイオードＤ１と、ダイオードＤ２によって全波整流された整流後の箇所と接続されていなければならない。即ち、ニュートラル側ラインよりもライブ側ラインの電位が高い場合にはダイオードＤ１によって整流された後で、かつ、ニュートラル側ラインよりもライブ側ラインの電位が低い場合にはダイオードＤ２によって整流される後の箇所でなければならない。本実施例では、ゼロクロス検知抵抗Ｒ１の一端は、ダイオードＤ１と放電抵抗Ｒ３との接続点に接続され、他端はゼロクロス検知部２０５に接続されている。例えば、ゼロクロス検知抵抗Ｒ１の一端は、ダイオードＤ２と放電抵抗Ｒ４との接続点に接続され、他端はゼロクロス検知部２０５に接続されているのでもよい。また、ゼロクロス検知抵抗Ｒ１の一端がダイオードＤ１と放電抵抗Ｒ３の接点に接続されている場合には、ゼロクロス検知回路２０２の構成から、直列接続されたダイオードＤ２と、放電抵抗Ｒ４を入れ替えても同様の効果を得ることができる。同様に、ゼロクロス検知抵抗Ｒ１の一端がダイオードＤ２と放電抵抗Ｒ４の接点に接続されている場合には、ゼロクロス検知回路２０２の構成から直列接続されたダイオードＤ１と放電抵抗Ｒ３を入れ替えても同様の効果を得ることができる。ゼロクロス検知回路２０２に示した、ゼロクロス検知抵抗Ｒ１の接続方法は、ＸコンデンサＣ１に充電された極性が正極性の場合でも負極性の場合でも充電された電荷を放電するための一例であり、この接続方法に限定されるものではない。
【００３１】
［電源装置の制御シーケンス］
図３は、本実施例の制御部２０３による、電源装置２００の制御シーケンスを示すフローチャートである。図３の処理は、電源装置２００の電源スイッチのオン操作や、電源装置２００の電源ケーブルの交流電源２０１との接続等により、電源装置２００を電源ＯＮ状態へ移行する要求が発生すると起動され、制御部２０３により実行される。ステップ（以下、Ｓという）３０１では、制御部２０３は、Ｓｔａｎｄｂｙ（スタンバイ）信号をＬｏｗ（ローレベル）状態に設定して、ゼロクロス検知回路２０２への電力供給（電源電圧Ｖｃｃの供給）を遮断する。これにより、制御部２０３は、電源装置２００をＹコンデンサＣ３の放電抵抗Ｒ３、Ｒ４に電流が流れない第一の状態に移行させる。本実施例の電源装置２００では、省エネルギー状態であるスリープ状態の場合には、消費電力を低減するために第一の状態となる。
【００３２】
Ｓ３０２では、制御部２０３は、電源スイッチのオフ操作による電源ＯＦＦ状態へ移行する要求があるかどうかを判断する。制御部２０３は、電源ＯＦＦ状態に移行する要求があると判断した場合には、処理を終了して、電源ＯＦＦ状態とし、電源ＯＦＦ状態へ移行する要求がないと判断した場合には処理をＳ３０３に進める。Ｓ３０３では、制御部２０３は、スタンバイ状態へ移行する要求があるかどうかを判断する。制御部２０３は、スタンバイ状態に移行する要求があると判断した場合には、処理をＳ３０４に進め、スタンバイ状態に移行する要求がないと判断した場合には、第一の状態を保持して、処理をＳ３０２に戻す。
【００３３】
Ｓ３０４では、制御部２０３は、Ｓｔａｎｄｂｙ（スタンバイ）信号をＨｉｇｈ（ハイレベル）状態に設定して、ゼロクロス検知回路２０２への電力供給（電源電圧Ｖｃｃの供給）を行う。これにより、制御部２０３は、電源装置２００を、ＹコンデンサＣ３の放電抵抗Ｒ３、Ｒ４に電流が流れる第二の状態に移行させる。本実施例の電源装置２００では、プリント時などのスタンバイ状態の場合には、ゼロクロスタイミングを検知可能な第二の状態となる。
【００３４】
Ｓ３０５では、制御部２０３は、Ｚｅｒｏｘ信号の立ち上がり及び立ち下がりのタイミングに基づいて、交流電源２０１のゼロクロスタイミングを検知する。Ｓ３０６では、制御部２０３は、スリープ状態へ移行する要求があるかどうかを判断する。制御部２０３は、スリープ状態に移行する要求があると判断した場合には、処理をＳ３０１に戻し、スリープ状態に移行する要求がないと判断した場合には、第二の状態を保持して、処理をＳ３０５に戻す。
【００３５】
以上説明したように、本実施例の電源装置２００では、抵抗値が大きいゼロクロス検知抵抗Ｒ１を用いてゼロクロス検知を行っている。更に、高耐圧のトランジスタＱ１によって、ゼロクロス検知抵抗Ｒ１よりも抵抗値の小さい放電抵抗Ｒ３、Ｒ４に電流が流れる状態と遮断状態を切り替えている。これにより、１つの高耐圧のトランジスタにより、ゼロクロスタイミングの検知が可能な状態（第二の状態）と、ゼロクロスタイミングの検知はできないが、消費電力を低減できる状態（第一の状態）を切り替えることができる。
【００３６】
また、本実施例では、ＸコンデンサＣ１からの電流が放電抵抗Ｒ３の整流手段であるダイオードＤ１、及び放電抵抗Ｒ４の整流手段であるダイオードＤ２による整流後に、ゼロクロス検知抵抗Ｒ１に流れる回路構成となっている。これにより、電源装置２００が第一の状態及び第二の状態において、ＸコンデンサＣ１に充電された極性が正極性及び負極性の両方の場合において、ＸコンデンサＣ１に充電された電荷を放電することができる。
【００３７】
更に、消費電力が低減される第一の状態における、ゼロクロス検知回路２０２の電力消費量は、ＸコンデンサＣ１の放電抵抗Ｒ２による電力消費量とほぼ同等である。即ち、本実施例では、ＸコンデンサＣ１の第一の放電手段としてＸコンデンサＣ１の放電抵抗Ｒ２が用いられ、第二の放電手段として、ゼロクロス検知回路２０２がＸコンデンサの放電抵抗Ｒ２の代わりに置き換えて用いられる。これにより、例えばゼロクロス検知回路を新たに追加した場合に生じる電力消費量の増加を避けることができる。このように本実施例のゼロクロス検知回路２０２は、ＸコンデンサＣ１に充電された極性が正負のどちらの場合でも放電することができ、簡易なスイッチ手段により、ゼロクロスタイミング検知が可能な状態と、消費電力を低減する状態を切り替えることができる。
以上説明したように、本実施例によれば、簡易な構成で、Ｘコンデンサに充電された電荷を放電させることができる。
【実施例２】
【００３８】
［電源装置の構成］
次に、実施例２の電源装置４００について、図４を参照して説明する。図４は、本実施例の電源装置４００の構成を示す回路図である。図４に示す電源装置４００は、実施例１の電源装置２００と比べて、次のような点が異なる。ゼロクロス検知回路４０２では、実施例１のゼロクロス検知回路２０２に、交流電源２０１の電圧を検知する回路を追加した構成となっている。また、電源装置４００ではコンバータ１に加え、第二の直流電圧である電圧Ｖ２を出力する第二の変換手段であるＤＣ／ＤＣコンバータ２（以下、コンバータ２という）が追加されている。更に、電源装置４００には、電圧Ｖ２を検知するための分圧回路（第二の電圧検知手段）が追加されている。なお、実施例１の電源装置２００と同様の構成については、同一符号を付すことにより、説明を省略する。
【００３９】
電源装置４００では、ブリッジダイオードＢＤ１の後段に、コンバータ１及びコンバータ２が接続されている。実施例１で説明したコンバータ１は、常に直流電圧Ｖ１を出力する常夜コンバータである。一方、コンバータ２は電源装置４００がスタンバイ状態である第二の状態の場合のみ動作する非常夜の絶縁型ＤＣ／ＤＣコンバータであり、一次側の直流電圧（ＤＣＬ〜ＤＣＨ間に印加された直流電圧）から二次側に直流電圧Ｖ２を出力する。コンバータ２は、Ｓｔａｎｄｂｙ（スタンバイ）信号がＨｉｇｈ（ハイレベル）状態で、コンバータ１から電源電圧Ｖｃｃが供給されると二次側に直流電圧Ｖ２を出力する。
【００４０】
また、ゼロクロス検知回路４０２のＹコンデンサ放電部４０６は、電圧検知部４０７に交流電源２０１の交流電圧に応じた直流電圧を出力する。第一の電圧検知手段である電圧検知部４０７は、交流電源２０１の交流電圧が低下し、電源装置４００が動作を継続できなくなった状態を検知するための電圧検知手段である。
【００４１】
［第二の状態における回路動作］
まず、画像形成装置１０のスタンバイ時やプリント時など、ゼロクロスタイミングを検知可能な状態である第二の状態での電源装置４００の回路動作について説明する。ゼロクロスタイミングを検知可能な状態では、Ｓｔａｎｄｂｙ信号がＨｉｇｈ（ハイレベル）状態に設定されるため、ゼロクロス検知部２０５及びＹコンデンサ放電部４０６に電源電圧Ｖｃｃが供給される。これにより、ゼロクロス検知回路４０２は、交流電源２０１のゼロクロスタイミングを検知可能な状態となる。
【００４２】
Ｙコンデンサ放電部４０６において、放電抵抗Ｒ３、Ｒ４に流れる電流は、トランジスタＱ１を介してコンデンサＣ６に充電される。抵抗Ｒ１０は、コンデンサＣ６の放電抵抗である。平滑回路を構成する抵抗Ｒ１１、コンデンサＣ７により平滑された直流電圧Ｖｉｎは、交流電源２０１の交流電圧に応じた電圧であり、電圧検知部４０７へ入力される。電圧検知部４０７は、入力された電圧Ｖｉｎの電圧値を検知し、検知された電圧値に応じたＶｏｕｔ信号をコンバータ２に出力する。交流電源２０１の交流電圧が低下すると、コンデンサＣ６への充電電流が低下し、その結果、電圧検知部４０７に入力される電圧Ｖｉｎは低下する。電圧検知部４０７は、入力される電圧Ｖｉｎが所定の閾値電圧Ｖｔｈ以下（閾値電圧以下）の場合には、Ｖｏｕｔ信号をＬｏｗ（ローレベル）状態に設定する。一方、入力される電圧Ｖｉｎが所定の閾値電圧Ｖｔｈより高い場合には、電圧検知部４０７は、Ｖｏｕｔ信号をＨｉｇｈ（ハイレベル）状態に設定する。
【００４３】
コンバータ２には電源電圧Ｖｃｃ及びＶｏｕｔ信号が入力される。コンバータ２は電源電圧Ｖｃｃが供給される第二の状態で、かつＶｏｕｔ信号がＨｉｇｈ状態の場合には起動され、負荷に供給するための直流電圧Ｖ２を出力する。一方、コンバータ２は、電源電圧Ｖｃｃが供給されない第一の状態や、Ｖｏｕｔ信号がＬｏｗ状態の場合には動作を停止し、直流電圧Ｖ２は出力されない。
【００４４】
交流電源２０１の交流電圧が低下して、コンバータ２が電圧Ｖ２の出力を停止したことを検知するために、コンバータ２から出力される直流電圧Ｖ２を分圧抵抗Ｒ１２、Ｒ１３によって分圧した信号であるＶ２ｓｅｎｓｅ信号が制御部２０３に入力される。制御部２０３は、Ｖ２ｓｅｎｓｅ信号の電圧値を検知することにより、コンバータ２が直流電圧Ｖ２の出力を停止したこと、即ち、交流電源２０１から入力される交流電圧が低下したことを検知することができる。なお、ゼロクロス検知部２０５によるゼロクロスタイミングの検知、及びＸコンデンサＣ１の放電については実施例１と同様であり、ここでの説明を省略する。
【００４５】
［第一の状態における回路動作］
次に、電源ＯＦＦ時やスリープ時などの省エネルギー状態である第一の状態での電源装置４００の回路動作について説明する。第一の状態ではＳｔａｎｄｂｙ（スタンバイ）信号がＬｏｗ状態のため、Ｙコンデンサ放電部４０６、ゼロクロス検知部２０５、コンバータ２には電源電圧Ｖｃｃが供給されない状態となる。そのため、ゼロクロス検知部２０５では、抵抗Ｒ６、フォトカプラＰＣ２の一次側ダイオード、トランジスタＱ２のコレクタ端子には電流が流れない状態となり、消費電力を抑えることができる。また、Ｙコンデンサ放電部４０６ではトランジスタＱ１は遮断状態となるため、ライブ側ラインから放電抵抗Ｒ３を介して流れる電流、及びニュートラル側ラインから放電抵抗Ｒ４を介して流れる電流は遮断され消費電力を抑えることができる。更に、電圧検知部４０７による電力消費も低減することができる。また、コンバータ２は、電源電圧Ｖｃｃが入力されないために動作を停止し、電圧Ｖ２は出力されない状態となる。
【００４６】
［電源装置の制御シーケンス］
図５は、本実施例の制御部２０３による、電源装置４００の制御シーケンスを示すフローチャートである。図５の処理は、電源装置４００の電源スイッチのオンや、電源装置４００の電源ケーブルの交流電源２０１との接続等により、電源装置４００を電源導通状態へ移行する要求が発生すると起動され、制御部２０３により実行される。
【００４７】
Ｓ５０１では、制御部２０３は、Ｓｔａｎｄｂｙ（スタンバイ）信号をＬｏｗ（ローレベル）状態に設定して、ゼロクロス検知回路４０２及びコンバータ２への電力供給（電源電圧Ｖｃｃの供給）を遮断する。これにより、制御部２０３は、電源装置４００をＹコンデンサＣ３の放電抵抗Ｒ３、Ｒ４に電流が流れない第一の状態に移行させる。また、電源電圧Ｖｃｃの供給が遮断されることにより、コンバータ２も動作を停止する。Ｓ５０２、Ｓ５０３は、それぞれ、実施例１の図３のＳ３０２、Ｓ３０３の処理と同様であり、ここでの説明を省略する。
【００４８】
Ｓ５０４では、制御部２０３は、Ｓｔａｎｄｂｙ（スタンバイ）信号をＨｉｇｈ（ハイレベル）状態に設定して、ゼロクロス検知回路４０２、及びコンバータ２への電力供給（電源電圧Ｖｃｃの供給）を行う。これにより、制御部２０３は、電源装置４００を、ＹコンデンサＣ３の放電抵抗Ｒ３、Ｒ４に電流が流れる第二の状態に移行させる。この状態では、電圧検知部４０７のコンデンサＣ６に充電電流が流れ、電圧検知部４０７によって交流電源２０１の入力電圧を検知可能な状態となる。また、コンバータ２は、電圧検知部４０７からのＶｏｕｔ信号がＨｉｇｈ（ハイレベル）状態の場合には起動され、直流電圧Ｖ２を出力する。更に、制御部２０３には、コンバータ２から出力された直流電圧Ｖ２を分圧したＶ２ｓｅｎｓｅ信号が入力される。
【００４９】
Ｓ５０５では、制御部２０３は、Ｖ２ｓｅｎｓｅ信号の電圧値に基づいて、電圧検知部４０７への入力電圧Ｖｉｎが閾値電圧である電圧Ｖｔｈよりも高いかどうかを判断する。前述したように、交流電源２０１の入力電圧が下がり、電圧検知部４０７への入力電圧Ｖｉｎが電圧Ｖｔｈ以下になると、電圧検知部４０７はＶｏｕｔ信号をＬｏｗ（ローレベル）状態に設定することにより、コンバータ２は動作を停止する。コンバータ２の動作が停止すると、コンバータ２が出力する直流電圧Ｖ２の電圧が低下するため、Ｖ２ｓｅｎｓｅ信号の電圧が所定の電圧以下に低下し、制御部２０３は、コンバータ２が動作を停止したことを検知することができる。制御部２０３は、Ｖ２ｓｅｎｓｅ信号の電圧が所定の電圧以下になったと判断した場合には、処理をＳ５０６に進め、Ｖ２ｓｅｎｓｅ信号の電圧が所定の電圧より高いと判断した場合には、処理をＳ５０７に進める。
【００５０】
Ｓ５０６では、制御部２０３は、交流電源２０１の入力電圧の低下が生じている異常状態を画像形成装置１０に通知する。画像形成装置１０は、不図示の表示部に入力電圧の低下が生じている旨の表示を行うことにより、ユーザに異常状態を報知する。そして、制御部２０３は、電源装置４００を省エネルギー状態である第一の状態に移行させるため、Ｓｔａｎｄｂｙ（スタンバイ）信号をＬｏｗ（ローレベル）状態に設定する。これにより、ゼロクロス検知回路４０２及びコンバータ２への電力供給（電源電圧Ｖｃｃの供給）が遮断され、制御部２０３は、電源装置４００を放電抵抗Ｒ３、Ｒ４に電流が流れない遮断状態に移行させる。更に、制御部２０３は、コンバータ２の動作を停止させ、処理を終了する。
【００５１】
Ｓ５０７、Ｓ５０８の処理は、実施例１のＳ３０５、Ｓ３０６の処理と同様であり、ここでの説明を省略する。
【００５２】
上述したように、本実施例の電源装置４００は、ＹコンデンサＣ３の放電抵抗Ｒ３、Ｒ４に流れる電流を用いて、交流電源２０１の電圧を検知する手段を有することを特徴としている。また、本実施例のゼロクロス検知回路４０２を用いることで、第一の状態及び第二の状態において、Ｘコンデンサに充電された極性が正極性でも負極性の場合でもＸコンデンサに充電された電荷を放電することができる。更に、簡易なスイッチ手段であるトランジスタＱ１によって、ゼロクロスタイミング検知及び電圧検知が可能な状態（第二の状態）と、消費電力が低減される状態（第一の状態）を切り替えることができる。
以上説明したように、本実施例によれば、簡易な構成で、Ｘコンデンサに充電された電荷を放電させることができる。
【符号の説明】
【００５３】
２０２    ゼロクロス検知回路
２０５    ゼロクロス検知部
２０６    Ｙコンデンサ放電部
ＢＤ１    ブリッジダイオード
Ｃ１      Ｘコンデンサ
Ｒ１      ゼロクロス検知抵抗
【図１】
2017188978.tif 000003
【図２】
2017188978.tif 000004
【図３】
2017188978.tif 000005
【図４】
2017188978.tif 000006
【図５】
2017188978.tif 000007